【事件の表示】
　特許第４９６４２６０号に関する訂正審判事件について、次のとおり審決する。
【結　論】
　特許第４９６４２６０号に係る明細書及び特許請求の範囲を本件審判請求書に添付された訂正明細書及び訂正特許請求の範囲のとおり一群の請求項ごとに訂正することを認める。
【理　由】
１　手続の経緯
　本件訂正審判の請求に係る特許第４９６４２６０号（以下「本件特許」という。）は、平成２１年２月２４日に出願されたものであって、その請求項１〜５に係る発明は、平成２４年４月６日に特許権の設定登録がなされ、平成２５年１０月３１日に本件訂正審判の請求がなされたものである。
　
２　審判請求の趣旨及び訂正の内容
　本件審判請求は、本件特許の願書に添付した明細書（以下「本件特許明細書」という。）及び特許請求の範囲を、本件審判請求書に添付された訂正明細書及び訂正特許請求の範囲のとおり一群の請求項ごとに訂正することを認める、との審決を求めるものである（下線部は訂正箇所を意味する。）。
　
　その訂正内容は、次のとおりである。
　
（１）訂正事項１
　本件特許請求の範囲の請求項１における
「前記ゲーム開始手段がゲームを開始させるときに、前記数値データ格納領域に格納されている数値データを読み出す数値データ読出手段と、
　・・・、
　前記開始操作手段が操作されたときに、前記開始可能状態であるか否か、前記ゲーム開始制限手段によりゲームの開始が制限されているか否かに関わらず、前記数値更新手段によって更新された数値データを乱数値として抽出し、数値データ格納領域に格納する乱数抽出手段と、」
という記載を、
「前記ゲーム開始手段がゲームを開始させるときに
、数
　・・・、
　前記開始操作手段が操作されたときに、前記開始可能状態であるか否か、前記ゲーム開始制限手段によりゲームの開始が制限されているか否かに関わらず、前記数値更新手段によって更新された数値データを乱数値として抽出し、
前記
と訂正する。
　
（２）訂正事項２
　本件特許請求の範囲の請求項１における
「前記ゲーム開始手段がゲームを開始させるときに、前記数値データ格納領域に格納されている数値データを読み出す数値データ読出手段と、
　・・・、
　該数値データ読出手段が読み出した数値データを用いて入賞の発生を許容するか否かを決定する事前決定手段と、」
という記載を、
「前記ゲーム開始手段がゲームを開始させるときに、前記数値データ格納領域に格納されている数値データを読み出す数値データ読出手段と、
　・・・、
　
前記
と訂正する。
　
（３）訂正事項３
　本件特許明細書の段落【０００８】における
「前記メイン処理手段は、
　ゲームを開始させることが可能な開始可能状態において、前記開始操作手段（スタートスイッチ７）が操作されたことにより、ゲームを開始させるゲーム開始手段と、
　前記開始可能状態において前記開始操作手段（スタートスイッチ７）以外の操作手段（スタートスイッチ７以外のスイッチ）が操作されている場合に、前記開始操作手段（スタートスイッチ７）が操作されても前記ゲーム開始手段によるゲームの開始を制限するゲーム開始制限手段と、
　前記開始操作手段（スタートスイッチ７）が操作されたときに、前記開始可能状態であるか否か、前記ゲーム開始制限手段によりゲームの開始が制限されているか否かに関わらず、前記数値更新手段（乱数列変更回路５５５）によって更新された数値データを乱数値として抽出し、数値データ格納領域（乱数値レジスタＲ１Ｄ）に格納する乱数抽出手段（乱数ラッチセレクタ５５８Ａ）と、
　前記ゲーム開始手段がゲームを開始させるときに、前記数値データ格納領域（乱数値レジスタＲ１Ｄ）に格納されている数値データを読み出す数値データ読出手段（ゲーム開始時の数値データの読み出し）と、
　該数値データ読出手段が読み出した数値データを用いて入賞の発生を許容するか否かを決定する事前決定手段（内部抽選）と、」
という記載を、
「前記メイン処理手段は、
　ゲームを開始させることが可能な開始可能状態において、前記開始操作手段（スタートスイッチ７）が操作されたことにより、ゲームを開始させるゲーム開始手段と、
　前記開始可能状態において前記開始操作手段（スタートスイッチ７）以外の操作手段（スタートスイッチ７以外のスイッチ）が操作されている場合に、前記開始操作手段（スタートスイッチ７）が操作されても前記ゲーム開始手段によるゲームの開始を制限するゲーム開始制限手段と、
　
前記ゲーム開始手段がゲームを開始させるときに、数値データ格納領域（乱数値レジスタＲ１Ｄ）に格納されている数値データを読み出す数値データ読出手段（ゲーム開始時の数値データの読み出し）と、
　
を備え、
　
前記スロットマシンは、
　前記開始操作手段（スタートスイッチ７）が操作されたときに、前記開始可能状態であるか否か、前記ゲーム開始制限手段によりゲームの開始が制限されているか否かに関わらず、前記数値更新手段（乱数列変更回路５５５）によって更新された数値データを乱数値として抽出し、
前記
　
前記
と訂正する。
　
（４）訂正事項４
　本件特許明細書の段落【００７６】における
「ローレベル信号が入力が入力された」
という記載を、
「ローレベル信号
が入
と訂正する。
　
（５）訂正事項５
　本件特許明細書の段落【００９６】における
「乱数列変更回路５５６」
という記載を、
「乱数列変更回路５５
５
と訂正する。
　
（６）訂正事項６
　本件特許明細書の段落【０１０１】における
「乱数変更回路５５５」
という記載を、
「乱数
列
と訂正する。
　
（７）訂正事項７
　本件特許明細書の段落【０１０３】における
「スタートスイッチ７からの出力信号からの出力信号が」
という記載を、
「スタートスイッチ７からの出力信
号が
と訂正する。
　
（８）訂正事項８
　本件特許明細書の段落【０１０４】、【０１０５】における
「乱数値取込レジスタＲＤＬＴ」
という記載を、
「乱数値取込
指定
と訂正する。
　
（９）訂正事項９
　本件特許明細書の段落【０１６４】における
「ＲＯＭ５０６Ａ」
という記載を、
「ＲＯＭ５０
６
と訂正する。
　
（１０）訂正事項１０
　本件特許明細書の段落【０２０５】における
「リールＬＥＤ」
という記載を、
「リールＬＥＤ
５５
と訂正する。
　
（１１）訂正事項１１
　本件特許明細書の段落【０２９３】における
「ホッパーモータ３４」
という記載を、
「ホッパーモータ３４
ｂ
と訂正する。
　
３　当審の判断
（１）訂正事項１について
　訂正前の請求項１には「前記数値データ格納領域」という記載があるが、この記載の前に「数値データ格納領域」という記載がないため、「前記数値データ格納領域」が何を指すのか不明であると共に、
　訂正前の請求項１には「数値データ格納領域」という記載があるが、この記載の前に「前記数値データ格納領域」という記載があるため、「数値データ格納領域」が「前記数値データ格納領域」を指すのか不明であるから、訂正前の請求項１の記載が不明瞭であった。
　
　訂正事項１は、訂正前の請求項１の
「前記ゲーム開始手段がゲームを開始させるときに、前記数値データ格納領域に格納されている数値データを読み出す数値データ読出手段と、
　・・・、
　前記開始操作手段が操作されたときに、前記開始可能状態であるか否か、前記ゲーム開始制限手段によりゲームの開始が制限されているか否かに関わらず、前記数値更新手段によって更新された数値データを乱数値として抽出し、数値データ格納領域に格納する乱数抽出手段と、」
という不明瞭な記載を、
「前記ゲーム開始手段がゲームを開始させるときに
、数
　・・・、
　前記開始操作手段が操作されたときに、前記開始可能状態であるか否か、前記ゲーム開始制限手段によりゲームの開始が制限されているか否かに関わらず、前記数値更新手段によって更新された数値データを乱数値として抽出し、
前記
という明瞭な記載に訂正するものであるから、特許法第１２６条第１項ただし書第３号に掲げる、明瞭でない記載の釈明に該当する。
　
（２）訂正事項２について
　訂正前の請求項１には「該数値データ読出手段」と記載されているが、この記載の直前に「数値データ読出手段」という記載がないため、「該数値データ読出手段」が何を指すか不明であるため、訂正前の請求項１の記載が不明瞭であった。
　
　訂正事項１は、訂正前の請求項１の
「前記ゲーム開始手段がゲームを開始させるときに、前記数値データ格納領域に格納されている数値データを読み出す数値データ読出手段と、
　・・・、
　該数値データ読出手段が読み出した数値データを用いて入賞の発生を許容するか否かを決定する事前決定手段と、」
という不明瞭な記載を、
「前記ゲーム開始手段がゲームを開始させるときに、前記数値データ格納領域に格納されている数値データを読み出す数値データ読出手段と、
　・・・、
　
前記
という明瞭な記載に訂正するものであるから、特許法第１２６条第１項ただし書第３号に掲げる、明瞭でない記載の釈明に該当する。
　
（３）訂正事項３について
　訂正事項３は、上記１．「（１）訂正事項１」、「（２）訂正事項２」の訂正により、本件訂正前の請求項１における明瞭でない記載の釈明の訂正を行った結果、記載表現が一致しなくなった本件特許明細書の段落【０００８】の記載、及び、訂正前の請求項１の記載と整合しなかった本件特許明細書の段落【０００８】の記載を、訂正後の請求項１記載に整合させるための訂正であるから、特許法第１２６条第１項ただし書第３号に掲げる、明瞭でない記載の釈明を目的とする訂正に該当する。
　
（４）訂正事項４〜１１について
　訂正事項４、７は、その記載自体に含まれる不明瞭な記載を適正な表現に直すために行うものであり、また、訂正事項５〜６、８〜１１は、その記載を他の箇所の記載に整合させるために行うものであるから、明瞭でない記載の釈明を目的とするものである。 
　
（５）特許法第１２６条第５項に規定する要件について
　訂正事項１〜１１は、本件特許明細書、特許請求の範囲又は図面（以下「本件特許明細書等」という。）に記載した事項の範囲内のものである。
　したがって、訂正事項１〜１１は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項１〜１１は、本件特許明細書等に記載した事項の範囲内においてするものであり、特許法第１２６条第５項の規定に適合する。
　
（６）特許法第１２６条第６項に規定する要件について
　訂正事項１〜１１は、実質上特許請求の範囲を拡張し又は変更するものではないから、特許法第１２６条第６項の規定に適合する。
　
（７）特許法第１２６条第３項に規定する要件について
　訂正後の請求項５は、訂正事項１〜２を含む訂正後の請求項１を引用しているから、請求項１〜５は、特許法施行規則第４６条の２第３号に規定する関係を有する一群の請求項である。
　したがって、本件訂正審判の請求は、一群の請求項（請求項１〜５）についてなされており、特許法第１２６条第３項の規定に適合する。
　
（８）特許法第１２６条第４項に規定する要件について
　本件特許明細書の段落【０００８】、【００７６】、【００９６】、【０１０１】、【０１０３】〜【０１０５】、【０１６４】、【０２０５】、【０２９３】中に記載されている訂正事項３〜１１は、請求項１〜５に対応する【課題を解決するための手段】、【発明を実施するための最良の形態】の記載であり、上記訂正事項１〜２に係る一群の請求項（請求項１〜５）は、当該訂正事項３〜１１と関係を有するから、
　本件特許明細書の訂正である当該訂正事項３〜１１と関係する一群の請求項（請求項１〜５）の全てが請求の対象とされている。
　したがって、本件請求は、第１２６条第４項の規定に適合するものである。
　
４　むすび 
　したがって、本件審判の請求は、特許法第１２６条第１項ただし書第３号に掲げる事項を目的とし、かつ、同条第３〜６項の規定に適合する。
　
　よって、結論のとおり審決する。